(57)【要約】【課題】破れまたは裂けを生じないシール組立体を提供する。【解決手段】トロカール組立体（12）と関連して用いられ、各々が周縁（28）及び継ぎ目縁（32）を備えた複数個のシールセグメント（24ａ〜24ｄ）を有するシール組立体。各シールセグメントは第１の部分（38）及び第２の部分（40）を更に有し、垂直壁（42）が第１部分を第２の部分に対して変位させるような仕方で第１部分と第２部分を連結し、第１及び第２シールセグメントの第１部分が同一平面内に位置し、第１及び第２シールセグメントの第２の部分が同一平面内に位置した状態で第１シールセグメントの第１部分を第２シールセグメントの第２部分の上に配置できるようになっている。シールセグメントは、補助シールの必要なく、シール本体全体を構成するようオーバーラップした織成構造で組み立てられる。【選択図】図１
2006167475.tif 000002
【特許請求の範囲】
【請求項１】
トロカール組立体と関連して用いられるように構成されたシール組立体であって、
各々が周縁及び継ぎ目縁を備えた複数個のシールセグメントを有し、
各シールセグメントは、第１の部分及び第２の部分を更に有し、垂直壁が、前記第１の部分を前記第２の部分に対して変位させるようにして前記第１の部分と前記第２の部分を連結しており、前記第１のシールセグメント及び前記第２のシールセグメントの、第１の部分が同一平面内に位置し、前記第１のシールセグメント及び前記第２のシールセグメントの、第２の部分が同一平面内に位置した状態で、前記第１のシールセグメントの前記第１の部分を前記第２のシールセグメントの前記第２の部分の上に配置できるようになっており、
前記シールセグメントは、補助シールを必要とすることなく、完全なシール体を構成する、オーバーラップした織られた構造に組み立てられている、シール組立体。
【請求項２】
請求項１記載のシール組立体であって、
４個のシールセグメントが組み立てられて前記シール組立体が形成される、シール組立体。
【請求項３】
請求項１記載のシール組立体であって、
前記シールセグメントの各々は、実質的に半円形である、シール組立体。
【請求項４】
請求項１記載のシール組立体であって、
各前記シールセグメントの前記周縁は、ほぼ１８０°の弧を画定する、シール組立体。
【請求項５】
請求項１記載のシール組立体であって、
各前記シールセグメントの前記周縁は、前記シールセグメント、最終的には前記シール組立体の取付け手段として機能する一連の孔を有する、シール組立体。
【請求項６】
請求項１記載のシール組立体であって、
前記シール組立体は、第１のシールセグメントの第１の部分を第２のシールセグメントの第２の部分上に配置し、該第２のシールセグメントの第１の部分を第３のシールセグメントの第２の部分上に配置し、該第３のシールセグメントの第１の部分を第４のシールセグメントの第２の部分上に配置し、該第４のシールセグメントの第１の部分を前記第１のシールセグメントの第２の部分上に配置することによる織られた構造で組み合わされた４つの個々のシールセグメントを含む、シール組立体。
【請求項７】
請求項１記載のシール組立体であって、
各前記シールセグメントは、湾曲した中央部分を含む、シール組立体。
【請求項８】
請求項１記載のシール組立体であって、
各前記シールセグメントは、架橋ポリマーのエラストマーである、シール組立体。
【請求項９】
トロカール組立体であって、
近位端部及び遠位端部を含むトロカールカニューレと、
前記トロカールカニューレの前記近位端部に結合されていて、前記トロカールカニューレを通った栓子を受け入れて該栓子を案内するトロカールハウジングと、を有し、
該トロカールハウジングは、シール組立体が設けられた開口部を画定する開口近位端部を有し、
前記シール組立体は、
各々が周縁及び継ぎ目縁を備えた複数個のシールセグメントを有し、
各シールセグメントは、第１の部分及び第２の部分を更に有し、垂直壁が、前記第１の部分を前記第２の部分に対して変位させるようにして前記第１の部分と前記第２の部分を連結しており、前記第１のシールセグメント及び前記第２のシールセグメントの、第１の部分が同一平面内に位置し、前記第１のシールセグメント及び前記第２のシールセグメントの、第２の部分が同一平面内に位置した状態で、前記第１のシールセグメントの前記第１の部分を前記第２のシールセグメントの前記第２の部分の上に配置できるようになっており、
前記シールセグメントは、補助シールを必要とすることなく、完全なシール体を構成する、オーバーラップした織られた構造に組み立てられている、トロカール組立体。
【請求項１０】
トロカール組立体であって、
近位端部及び遠位端部を含むトロカールカニューレと、
前記トロカールカニューレの前記近位端部に結合されていて、前記トロカールカニューレを通った栓子を受け入れて該栓子を案内するトロカールハウジングと、を有し、
該トロカールハウジングは、近位シール組立体及び遠位シール組立体が設けられた開口部を画定する開口近位端部を有し、
前記近位シール組立体は、
各々が周縁及び継ぎ目縁を備えた複数個のシールセグメントを有し、
各シールセグメントは、第１の部分及び第２の部分を更に有し、垂直壁が、前記第１の部分を前記第２の部分に対して変位させるようにして前記第１の部分と前記第２の部分を連結しており、前記第１のシールセグメント及び前記第２のシールセグメントの、第１の部分が同一平面内に位置し、前記第１のシールセグメント及び前記第２のシールセグメントの、第２の部分が同一平面内に位置した状態で、前記第１のシールセグメントの前記第１の部分を前記第２のシールセグメントの前記第２の部分の上に配置できるようになっており、
前記シールセグメントは、補助シールを必要とすることなく、完全なシール体を構成する、オーバーラップした織られた構造に組み立てられている、トロカール組立体。
【発明の詳細な説明】
【開示の内容】
【０００１】
〔発明の分野〕
本発明は、トロカール組立体に関する。本発明は特に、トロカールシール組立体に関する。
【０００２】
〔先行技術の説明〕
トロカール組立体は、体腔への接近のために用いられる外科用器具である。トロカール組立体は一般に２つの主要な構成要素、即ち、トロカールハウジング及びトロカールカニューレで構成されたトロカールスリーブと、トロカール栓子とを有している。トロカールカニューレは、これにトロカール栓子を挿通させた状態で、皮膚中へ差し向けられて体腔に接近する。体腔にいったん接近すると、腹腔鏡手術または関節鏡視下手術及び内視鏡手技を行うことができる。皮膚を穿通するため、トロカールカニューレの遠位端部を、既にメスで切断された皮膚に当てて配置する。次に、トロカール栓子を用いて皮膚を穿通し、体腔に接近する。圧力をトロカール栓子の近位端部に加えることにより、トロカール栓子の尖った先端部を皮膚に押し込んで、ついにはこれが体腔に入るようにする。トロカールカニューレをトロカール栓子により作った小穴に挿入し、トロカール栓子を引き抜くと、後には体腔への接近手段としてのトロカールカニューレが残る。
【０００３】
トロカールカニューレの近位端部は典型的には、トロカールハウジングに接合され、このトロカールハウジングは、トロカールカニューレによって画定された内部管腔と連通状態にある開口遠位端部を画定するチャンバーを構成している。トロカール栓子または他の細長い外科用器具またはツールが、トロカールハウジングにより画定されたチャンバーの遠位端部を通ってトロカールカニューレ内へ延び、そしてこれから引き抜かれる。
【０００４】
現行のトロカール組立体は一般に、トロカールハウジングのチャンバー内に配置されたシール機構を備えるよう設計されたものである。シール機構は一般に、トロカール栓子または他の器具を挿通させる密封グロメットまたはガスケットである。シール機構は、挿入された状態の器具の外面に密着し、それにより流体及び注入ガスがトロカールカニューレ及びトロカールハウジングを通って体腔に出入りするのを阻止する。かかるシールは、良好な耐引裂き性、良好な耐かぎ裂き性及び器具の挿入に対する低い摩擦力を提供することが望ましい。
【０００５】
シール組立体は、器具の挿入前及び器具の取出し後にシールを維持するよう設計されている。その結果、多くのトロカール組立体は、二重密封システムを備えている。即ち、頂部または近位シールは、これへの挿入時にツール／器具の周りを密封するために用いられ、ダックビル形シールは、頂部シールの下に設けられて、器具が存在していないときにトロカールハウジングを密封するようになっている。
【０００６】
これとは対照的に、トロカール組立体の中には、単一の密封機構を採用しているものがある。これらトロカールシール組立体のうちの多くは、トロカール組立体と関連して用いられるべき最も小さなツール／器具よりも僅かに小さい小穴を備えたシリコーンシールを採用しただけのものである。この種のシールは、リップシールと呼ばれることが多い。種々の直径の外科用器具が、リップシール中に通される。したがって、これらシールは、器具の全寸法範囲に用いられるシールとなることが要求される場合が多い。したがって、シールの開口直径は、直径が最も大きな器具に対して小さい。
【０００７】
事実、リップシールを４００％歪に至るまで押すことは珍しいことではない。これら大径器具を比較的小径のリップシール中に押し込むことにより、これら大径器具は、器具のシャフトに加わる通常の力の著しい増大を受ける。外科医は、この力の増大を器具挿入／運動に対する抗力または抵抗の増大として感じる。また、シールの材料特性は、シールをその限度まで引き伸ばしてもシールが破れまたは裂けたりすることがないようなものであることが必要とされる。
【０００８】
したがって、現在、先行技術の欠点を解決する改良型トロカールシール組立体が要望されている。本発明は、先行技術のシールと関連したフープ／高い応力の問題をなくすシール組立体を提供することによってこれら欠点を解決すると共にシングルシール組立体（これは、トロカール組立体の全体的な複雑さを軽減させる）にまたはマルチシールシステムの外側ガスケットとして利用できるシール組立体を提供する。
【０００９】
〔発明の概要〕
したがって、本発明の目的は、トロカール組立体と関連して用いられるようになったシール組立体を提供することにある。シール組立体は、各々が周縁及び継ぎ目縁を備えた複数個のシールセグメントを有する。各シールセグメントは、第１の部分及び第２の部分を更に有し、垂直壁が、第１の部分を第２の部分に対して変位させるような仕方で第１の部分と第２の部分を連結しており、第１のシールセグメント及び第２のシールセグメントの第１の部分が同一平面内に位置し、第１のシールセグメント及び第２のシールセグメントの第２の部分が同一平面内に位置した状態で第１のシールセグメントの第１の部分を第２のシールセグメントの第２の部分の上に配置できるようになっている。シールセグメントは、補助シールを必要とすることなく、シール本体全体を構成するようオーバーラップした織成構造で組み立てられている。
【００１０】
また、本発明の目的は、近位端部及び遠位端部を含むトロカールカニューレと、トロカールカニューレの近位端部に結合されていて、トロカールカニューレを通って栓子を受け入れて該栓子を案内するトロカールハウジングとを有するトロカール組立体を提供することにしる。トロカールハウジングは、上述したようなシール組立体が設けられた開口部を画定する開口近位端部を有する。
【００１１】
本発明のもう１つの目的は、近位端部及び遠位端部を含むトロカールカニューレと、トロカールカニューレの近位端部に結合されていて、トロカールカニューレを通って栓子を受け入れて該栓子を案内するトロカールハウジングとを有するトロカール組立体を提供することにある。トロカールハウジングは、近位シール組立体及び遠位シール組立体が設けられた開口部を画定する開口近位端部を有する。近位シール組立体は、各々が周縁及び継ぎ目縁を備えた複数個のシールセグメントを有する。各シールセグメントは、第１の部分及び第２の部分を更に有し、垂直壁が、第１の部分を第２の部分に対して変位させるような仕方で第１の部分と第２の部分を連結しており、第１のシールセグメント及び第２のシールセグメントの第１の部分が同一平面内に位置し、第１のシールセグメント及び第２のシールセグメントの第２の部分が同一平面内に位置した状態で第１のシールセグメントの第１の部分を第２のシールセグメントの第２の部分の上に配置できるようになっている。シールセグメントは、補助シールを必要とすることなく、シール本体全体を構成するようオーバーラップした織成構造で組み立てられている。
【００１２】
本発明の他の目的及び利点は、本発明の幾つかの実施形態を記載した添付の図面と関連して行われる以下の詳細な説明から明らかになろう。
【００１３】
〔好ましい実施形態の説明〕
本発明の詳細な実施形態が本明細書において開示されている。しかしながら、開示した実施形態は、本発明の単なる例示に過ぎず、本発明は、種々の形態で実施できることは理解されるべきである。したがって、本明細書において開示する細部は、本発明を限定するものと解釈されてはならず、単に特許請求の範囲の理解のための基礎として、又当業者が本発明をどのように構成すると共に（或いは）利用するかについて教示するための基礎として解釈されるべきである。
【００１４】
図１〜図５を参照すると、トロカール組立体１２のための近位シール組立体１０が開示されている。シール組立体１０は、テンティング（tenting）が生じる恐れを減少させることにより耐引裂き性を向上させることができる。当業者には理解されるように、テンティングは、例えば器具がシールを通過することによりシールが引き伸ばされて薄くなり、かくして容易に破裂する可能性のある弱まり領域を生じさせたときに生じる。当業者であれば確信を持って理解されるように、本発明のシール組立体１０は、種々のトロカール組立体に利用されるようになっている。加うるに、本発明のシール組立体１０は、二重シールシステムの近位シール組立体であるものとして説明するが、シングルシールシステムに利用できる。
【００１５】
本発明のシール組立体１０は、種々のトロカール組立体（図１及び図２参照）に使用されるようになっている。例えば、シール組立体１０は、低侵襲内視鏡外科手技に利用される安価な外科用トロカール組立体に利用されるようになっており、かかる外科的手技としては、腹腔鏡外科手技や関節鏡視下外科手技が挙げられるが、これらには限定されない。かかる外科用トロカール組立体は、使い捨てであり、患者に対し１回だけ使用される器具として用いられるようになっている。
【００１６】
本発明の近位シール組立体１０は別として、トロカール組立体１２の全体構造は、本発明の要部をなさない。例えば、本発明のシール組立体１０を説明することにより、トロカール組立体は、米国特許第５，８２７，２２８号明細書、同第５，９４７，９３０号明細書、同第４，５３５，７７３号明細書、同第５，２２４，９５２号明細書、同第５，２５６，１４９号明細書、同第５，３１４，４１７号明細書、同第５，３８７，１９７号明細書、同第５，２４８，２９８号明細書、同第５，３３０，４３７号明細書、同第５，３９９，１６７号明細書、同第５，０６６，２８８号明細書、同第５，２１５，５２６号明細書及び同第５，２６７，９６５号明細書に開示されているトロカール組立体の形態を取ることができ、これら米国特許明細書全ての開示内容を参照によりここに引用する。
【００１７】
上記のことを念頭に置き、一例を挙げると、トロカール組立体１２は、トロカールカニューレ１４、トロカール栓子１６及びトロカールハウジング（または取っ手）１８を有している。トロカールカニューレ１４は、開口した遠位端部及び開口した近位端部を有する内部管腔を画定している。近位端部は、トロカールハウジング１８の遠位端部内へ延びてこの中に取り付けられている。トロカールハウジング１８は、開口部を画定した開口近位端部を有する。この開口部には、本発明に従って構成され、以下に詳細に説明する近位シール組立体１０が設けられる。開口部は、近位シール組立体１０の下に配置されるダックビル形シール組立体２０を更に備える。トロカール栓子１６は、トロカールカニューレ１４内に摺動自在且つ取外し自在に伸長でき、このトロカール栓子は、シール組立体１０及びトロカールハウジング１８の開口部を通ってトロカールハウジング１８及びトロカールカニューレ１４内に挿入される。栓子取っ手２２が、トロカール栓子１６の近位端部に設けられ、尖った先端部または刃２３が、その遠位端部に形成されている。当該技術分野においては周知であるように、シール組立体１０は、トロカール栓子１６またはトロカールカニューレ１４を貫通した別の外科用器具と協働してトロカールカニューレの外面に密封的に係合し、それにより流体がトロカールハウジング１８を通って流れるのを妨げる。
【００１８】
図３、図４及び図５を参照すると、シール組立体１０の好ましい実施形態が開示されている。本発明の好ましい実施形態によれば、シール組立体１０は、補助シールを必要とすることなく、シール本体２６全体を構成するよう織成構造に組み立てられた多数の互いにオーバーラップしたシールセグメント２４で構成されている。本発明のシール組立体１０は、複数個の互いにオーバーラップしたシールセグメント２４を設けることによりシール組立体１０と挿入状態の器具との間の漏れを一段と最小限に抑える。上述したように、シール組立体１０は、本明細書においては、二重シールシステムの近位シール組立体として開示されている。ただし、本発明のシール組立体は、シングルシールシステムに容易に利用できる。
【００１９】
特に、４つのシールセグメント２４が、シール組立体１０のシール本体２６を形成するよう配置されている。４つのシールセグメント２４が本発明の好ましい実施形態に従って利用されるが、シール本体２６は結局のところ、本発明の精神から逸脱することなくこれとは異なる数のシールセグメントを備えてもよい。
【００２０】
各シールセグメント２４は、半円形である。これらシールセグメント２４は各々、実質的に丸い周縁２８及び最終的に継ぎ目縁３２を画定する真っ直ぐな形をした縁３０を有している。本発明の好ましい実施形態によれば、各シールセグメント２４の外周縁２８は、約１８０°の弧を画定している。外周縁２８は、トロカールハウジング１８内に位置するようになった隆起部を更に有している。外周縁２８は、一連の孔３１を更に有し、これら孔は、上側及び下側保持部材（図示せず）と協働してシールセグメント２４をしっかりと取り付け、最終的にシール組立体１０を構成する。以下の開示に基づいて明らかになるように、約１８０°の弧を画定する多数個のシールセグメント２４を用いた結果として、シール組立体１０を提供することによりフープ応力が減少し、このシール組立体が、トロカール栓子１６またはシール組立体を通って挿入された他の器具の周りを密封するよう複数個の伸縮するシールセグメント２４を用いている。
【００２１】
各シールセグメント２４は、第１の部分３８及び第２の部分４０を有している。垂直壁４２が、第１の部分３８と第２の部分４０を連結している。具体的に説明すると、各シールセグメント２４の第１の部分３８及び第２の部分４０は、第１及び第２のシールセグメント２４の第１の部分３８が実質的に同一の平面内に位置し、第１のシールセグメント及び第２のシールセグメントの第２の部分４０が実質的に同一の平面内に位置した状態で第１のシールセグメント２４の第１の部分３８を第２のシールセグメント２４の第２の部分４０の上に配置できるような仕方でオフセットしている。
【００２２】
このように、４つの個々のシールセグメント２４ａ〜２４ｄは、シール本体２６全体を構成するよう織成構造に組み合わされており、このシール本体は、補助シールを必要としないで完全に密封を行う。即ち、シール本体２６は、第１のシールセグメント２４ａの第１の部分３８を第２のシールセグメント２４ｂの第２の部分４０の上に配置することにより組み立てられる。次に、第２のシールセグメント２４ｂの第１の部分３８を第３のシールセグメント２４ｃの第２の部分４０上に配置し、第３のシールセグメント２４ｃの第１の部分３８を第４のシールセグメント２４ｄの第２の部分４０上に配置し、第４のシールセグメント２４ｄの第１の部分３８を第１のシールセグメント２４ａの第２の部分４０上に配置する。
【００２３】
シールセグメント２４の各々に組み込まれた垂直壁４２は、拡張を可能にする。特に、垂直壁４２は、シール組立体１０の中央出入口からの拡張を可能にする。これは、シール材料の一層大きな拡張及び最終的には中央開口部の一層大きな拡張を可能にする。第１の部分３８及び第２の部分４０と共に垂直壁４２を利用することにより、２つの別々のシール面が形成され、これらシール面は、相互間の中空の空間で隔てられており、即ち、互いにオーバーラップした第１の部分３８と第２の部分４０は、シールセグメント２４が全て、単一のシール本体２６を形成するよう互いに織成されているにもかかわらず、２つの別個独立のシール面として機能する。各シールセグメント２４は、次のシールセグメントとオーバーラップし、シール組立体１０の真上からまたは真下から見たときに各シールセグメント２４が表面積のうち９０°を露出するに過ぎないようになっている。
【００２４】
変形実施形態によれば、図６及び図７を参照すると、シール組立体１１０は、シール組立体１１０の中央に円錐の形をした導入フェース１１１を形成できるよう僅かに改造されている。円錐形の導入フェース１１１は、器具がシール組立体１１０の中央に入るのを助ける案内となる。
【００２５】
特に、この実施形態は、補助シールを必要としないで、シール本体１２６全体を構成するよう織成構造に組み立てられた４つの互いにオーバーラップしたシールセグメント１２４を有している。先の実施形態の場合と同様、各シールセグメント１２４は、半円形である。これらシールセグメント１２４は各々、実質的に丸い周縁１２８及び最終的に継ぎ目縁１３２を画定する真っ直ぐな形をした縁１３０を有している。本発明の好ましい実施形態によれば、各シールセグメント１２４の外周縁１２８は、約１８０°の弧を画定している。外周縁１２８は、トロカールハウジング１１８の内部ハウジング内に位置するようになった隆起部を更に有している。外周縁１２８は、一連の孔１３１を更に有し、これら孔は、シールセグメント１２４及び最終的にシール組立体１１０の取付け手段として機能する。以下の開示に基づいて明らかになるように、約１８０°の弧を画定するシールセグメント１２４を用いた結果として、フープ応力が減少する。
【００２６】
各シールセグメント１２４は、第１の部分１３８及び第２の部分１４０を有している。垂直壁１４２が、第１の部分１３８と第２の部分１４０を連結している。具体的に説明すると、各シールセグメント１２４の第１の部分１３８及び第２の部分１４０は、第１及び第２のシールセグメント１２４の第１の部分１３８が同一平面内に位置し、第１のシールセグメント及び第２のシールセグメント１２４の第２の部分１４０が同一平面内に位置した状態で第１のシールセグメント１２４の第１の部分１３８を第２のシールセグメント１２４の第２の部分１４０の上に配置できるような仕方でオフセットしている。
【００２７】
各シールセグメントの第１の部分１３８と第２の部分１４０の両方は、中央の湾曲した部分１３９，１４１を有している。特に、第１の部分１３８は、第１の部分１３８が外周縁１２８から垂直壁１４２がシールセグメント１２４の真っ直ぐな縁１３０に出会う箇所に向かって延びるにつれて第２の部分１４０に向かって湾曲した湾曲部分１３９を有している。これと同様に、第２の部分１４０は、第２の部分１４０が外周縁１２８から垂直壁１４２がシールセグメント１２４の真っ直ぐな縁１３０に出会う箇所に向かって延びるにつれて第１の部分１３８に向かって湾曲した湾曲部分１４１を有している。
【００２８】
使用にあたり、先の実施形態の場合と同様、器具をシール組立体１１０の中央の中に挿入しているとき、シール材料を傍へ退けておく。しかしながら、第１の部分１３８及び第２の部分１４０の湾曲部分は、器具をシール組立体１１０の中央に向けて案内するよう機能する。
【００２９】
両方の実施形態は最終的には、保持部材（図示せず）を組み立て状態のシール本体２６，１２６の頂面と底面の両方に利用することにより互いに保持される。保持部材は、当業者には周知であり、種々の保持部材を本発明の精神の範囲内で採用できる。
【００３０】
上記において概述したように、本発明のシール組立体１０，１１０を提供することにより、補助シール（即ち、フラップドアまたはダックビル）が不要になる。加うるに、本発明のシール組立体１０，１１０は、必要とする厳格な材料上の要件を緩和し、大型ツール周りのフープ応力を無くし、シールの引裂きの問題を減少させ、しかもツール／器具の引き込みを可能にする（円錐形フェースを備えた実施形態を採用した場合）。
【００３１】
好ましい実施形態を図示すると共に説明したが、本発明をかかる開示内容によって限定するものではなく、それどころか、特許請求の範囲に記載された本発明の精神及び範囲に属する全ての改造例及び変形構成を包含するものである。
【００３２】
〔実施の態様〕
本発明の具体的な実施態様は、以下の通りである。
（１）トロカール組立体と関連して用いられるように構成されたシール組立体であって、
各々が周縁及び継ぎ目縁を備えた複数個のシールセグメントを有し、
各シールセグメントは、第１の部分及び第２の部分を更に有し、垂直壁が、前記第１の部分を前記第２の部分に対して変位させるようにして前記第１の部分と前記第２の部分を連結しており、前記第１のシールセグメント及び前記第２のシールセグメントの、第１の部分が同一平面内に位置し、前記第１のシールセグメント及び前記第２のシールセグメントの、第２の部分が同一平面内に位置した状態で、前記第１のシールセグメントの前記第１の部分を前記第２のシールセグメントの前記第２の部分の上に配置できるようになっており、
前記シールセグメントは、補助シールを必要とすることなく、完全なシール体を構成する、オーバーラップした織られた構造に組み立てられている、シール組立体。
（２）実施態様１記載のシール組立体であって、
４個のシールセグメントが組み立てられて前記シール組立体が形成される、シール組立体。
（３）実施態様１記載のシール組立体であって、
前記シールセグメントの各々は、実質的に半円形である、シール組立体。
（４）実施態様１記載のシール組立体であって、
各前記シールセグメントの前記周縁は、ほぼ１８０°の弧を画定する、シール組立体。
（５）実施態様１記載のシール組立体であって、
各前記シールセグメントの前記周縁は、前記シールセグメント、最終的には前記シール組立体の取付け手段として機能する一連の孔を有する、シール組立体。
（６）実施態様１記載のシール組立体であって、
前記シール組立体は、第１のシールセグメントの第１の部分を第２のシールセグメントの第２の部分上に配置し、該第２のシールセグメントの第１の部分を第３のシールセグメントの第２の部分上に配置し、該第３のシールセグメントの第１の部分を第４のシールセグメントの第２の部分上に配置し、該第４のシールセグメントの第１の部分を前記第１のシールセグメントの第２の部分上に配置することによる織られた構造で組み合わされた４つの個々のシールセグメントを含む、シール組立体。
（７）実施態様１記載のシール組立体であって、
各前記シールセグメントは、湾曲した中央部分を含む、シール組立体。
（８）実施態様１記載のシール組立体であって、
各前記シールセグメントは、架橋ポリマーのエラストマーである、シール組立体。
【００３３】
（９）トロカール組立体であって、
近位端部及び遠位端部を含むトロカールカニューレと、
前記トロカールカニューレの前記近位端部に結合されていて、前記トロカールカニューレを通った栓子を受け入れて該栓子を案内するトロカールハウジングと、を有し、
該トロカールハウジングは、シール組立体が設けられた開口部を画定する開口近位端部を有し、
前記シール組立体は、
各々が周縁及び継ぎ目縁を備えた複数個のシールセグメントを有し、
各シールセグメントは、第１の部分及び第２の部分を更に有し、垂直壁が、前記第１の部分を前記第２の部分に対して変位させるようにして前記第１の部分と前記第２の部分を連結しており、前記第１のシールセグメント及び前記第２のシールセグメントの、第１の部分が同一平面内に位置し、前記第１のシールセグメント及び前記第２のシールセグメントの、第２の部分が同一平面内に位置した状態で、前記第１のシールセグメントの前記第１の部分を前記第２のシールセグメントの前記第２の部分の上に配置できるようになっており、
前記シールセグメントは、補助シールを必要とすることなく、完全なシール体を構成する、オーバーラップした織られた構造に組み立てられている、トロカール組立体。
（１０）実施態様９記載のトロカール組立体であって、
４個のシールセグメントが、前記シール組立体を形成するよう組み立てられる、トロカール組立体。
（１１）実施態様９記載のトロカール組立体であって、
前記シールセグメントの各々は、実質的に半円形である、トロカール組立体。
（１２）実施態様９記載のトロカール組立体であって、
各前記シールセグメントの前記周縁は、１８０°の弧を構成する、トロカール組立体。
（１３）実施態様９記載のトロカール組立体であって、
各前記シールセグメントの前記周縁は、前記シールセグメント、最終的には前記シール組立体の取付け手段として機能する一連の孔を有する、トロカール組立体。
（１４）実施態様９記載のトロカール組立体であって、
前記シール組立体は、第１のシールセグメントの第１の部分を第２のシールセグメントの第２の部分上に配置し、該第２のシールセグメントの第１の部分を第３のシールセグメントの第２の部分上に配置し、該第３のシールセグメントの第１の部分を第４のシールセグメントの第２の部分上に配置し、該第４のシールセグメントの第１の部分を前記第１のシールセグメントの第２の部分上に配置することにより織成構造で組み合わされた４つの個々のシールセグメントを含む、トロカール組立体。
（１５）実施態様９記載のトロカール組立体であって、
各前記シールセグメントは、湾曲した中央部分を含む、トロカール組立体。
（１６）実施態様９記載のトロカール組立体であって、
各前記シールセグメントは、架橋ポリマーのエラストマーである、トロカール組立体。
【００３４】
（１７）トロカール組立体であって、
近位端部及び遠位端部を含むトロカールカニューレと、
前記トロカールカニューレの前記近位端部に結合されていて、前記トロカールカニューレを通った栓子を受け入れて該栓子を案内するトロカールハウジングと、を有し、
該トロカールハウジングは、近位シール組立体及び遠位シール組立体が設けられた開口部を画定する開口近位端部を有し、
前記近位シール組立体は、
各々が周縁及び継ぎ目縁を備えた複数個のシールセグメントを有し、
各シールセグメントは、第１の部分及び第２の部分を更に有し、垂直壁が、前記第１の部分を前記第２の部分に対して変位させるようにして前記第１の部分と前記第２の部分を連結しており、前記第１のシールセグメント及び前記第２のシールセグメントの、第１の部分が同一平面内に位置し、前記第１のシールセグメント及び前記第２のシールセグメントの、第２の部分が同一平面内に位置した状態で、前記第１のシールセグメントの前記第１の部分を前記第２のシールセグメントの前記第２の部分の上に配置できるようになっており、
前記シールセグメントは、補助シールを必要とすることなく、完全なシール体を構成する、オーバーラップした織られた構造に組み立てられている、トロカール組立体。
（１８）実施態様１７記載のトロカール組立体であって、
各前記シールセグメントの前記周縁は、約１８０°の弧を構成する、トロカール組立体。
（１９）実施態様１７記載のトロカール組立体であって、
前記近位シール組立体は、第１のシールセグメントの第１の部分を第２のシールセグメントの第２の部分上に配置し、該第２のシールセグメントの第１の部分を第３のシールセグメントの第２の部分上に配置し、該第３のシールセグメントの第１の部分を第４のシールセグメントの第２の部分上に配置し、該第４のシールセグメントの第１の部分を前記第１のシールセグメントの第２の部分上に配置することにより織成構造で組み合わされた４つの個々のシールセグメントを含む、トロカール組立体。
（２０）実施態様１７記載のトロカール組立体であって、
前記シールセグメントの各々は、実質的に半円形である、トロカール組立体。
【図面の簡単な説明】
【００３５】
【図１】本発明の近位シールを採用したトロカール組立体の分解組立て図である。
【図２】本発明の近位シールを採用した別のトロカールハウジングの断面図である。
【図３】本発明の近位シールの斜視図である。
【図４】図３に示す近位シールの分解組立て図である。
【図５】図３の５−５線に沿って見た近位シールの断面図である。
【図６】本発明の別の近位シールの斜視図である。
【図７】図６の７−７線に沿って見た近位シールの断面図である。
【符号の説明】
【００３６】
１０  近位シール組立体
１２  トロカール組立体
１４  カニューレ
１６  トロカール栓子
１８  トロカールハウジング
２０  ダックビル形シール組立体
２２  栓子取っ手
２３  尖り先端部または刃
２４ａ〜２４ｄ  シールセグメント
２６  シール本体
２８  周縁
３０  直線状縁
３１  孔
３２  継ぎ目縁
３８  第１の部分
４０  第２の部分
４２  垂直壁
【図１】
2006167475.tif 000003
【図２】
2006167475.tif 000004
【図３】
2006167475.tif 000005
【図４】
2006167475.tif 000006
【図５】
2006167475.tif 000007
【図６】
2006167475.tif 000008
【図７】
2006167475.tif 000009
【外国語明細書】
2006167475000001.pdf